(57)【特許請求の範囲】
【請求項１】
表面部材（３，３Ａ，３Ｂ）と、生地（２，２Ａ，２Ｂ）を介して前記表面部材（３，３Ａ，３Ｂ）とかしめられる裏面部材（４，４Ａ，４Ｂ）と、前記表面部材（３，３Ａ．３Ｂ）の内部に収容したＲＦＩＤタグ（７，７Ａ）からなり、
前記表面部材（３，３Ａ．３Ｂ）は、さらに脚部（５２，５２Ａ）を有する蓋体（５，５Ａ，５Ｂ）と、前記脚部（５２，５２Ａ）通過用の孔（６３，６３Ａ）を有する本体（６，６Ａ，６Ｂ）からなり、
前記ＲＦＩＤタグ（７，７Ａ）を収容するための収容室（６４，６５，５５）を前記蓋体（５，５Ａ）及び前記本体（６，６Ａ）のいずれかであって、しかも、前記脚部（５２，５２Ａ，５２Ｂ）及び脚部通過用の孔（６３，６３Ａ，６３Ｂ）から離れた位置に設け、
前記ＲＦＩＤタグ収容室（６４，６５，５５）を貫通する小孔（６６，６７，６６Ａ）を前記本体（６，６Ａ）に設けて、前記ＲＦＩＤタグ（７，７Ａ）が取り付けられているかどうか目視確認できるようにし、さらに
前記蓋体（５，５Ａ）及び前記本体（６，６Ａ）のいずれかに衝撃緩和用の窪み（５３）を設けた
ことを特徴とするＲＦＩＤタグを取り付けた装飾体。
【請求項２】
前記装飾体が、飾り表面を有するボタン（１Ａ）、表示具（１Ａ，１Ｂ）、バッジ、ワッペン、徽章、の何れかである請求項１記載の装飾体。
【請求項３】
前記装飾体がスナップボタンであり、前記裏面部材（４）にスナップ係合用の雌雄部材のいずれか（４１）が併設されている請求項１または２記載の装飾体。
【請求項４】
請求項１ないし３のいずれかに記載された前記装飾体が取り付けられた製品であって、その製品が衣服（２，２Ａ）、カバン、住宅や車の床用マット（２Ｂ）、布団、シーツのうちのいずれかである製品。
【発明の詳細な説明】
【技術分野】
【０００１】
本発明は、ＲＦＩＤタグを取り付けた装飾体に関する。装飾体としては、例えば、飾り表面を有するボタン、表示具、バッジ、ワッペン、徽章、等がある。この装飾体は、例えば、衣服、カバン、住宅や車の床用マット、リネン関係（布団やシーツ）に使用することができる。
【背景技術】
【０００２】
ＲＦＩＤタグは、物体の識別に利用される微小な無線ICチップを組み込んだタグである。無線ICチップには、自身の識別コードなどの情報が記録されており、電波を使って管理システムと情報を送受信する能力をもつので、産業界においてバーコードに代わる商品識別・管理技術として研究が進められている。最近は、それに留まらず社会のIT化・自動化を推進する上での基盤技術として注目が高まっている。
【０００３】
ボタンにＩＣチップを組み込んだ発明として、例えば、下記特許文献１及び２が知られている。
【０００４】
特許文献１では、ＩＣチップ６等は、ボタン本体２と防水被覆層７の間に埋設されている。
【０００５】
特許文献２では、ＩＣチップ等の電子部品６は、予めボタン裏止め部品１の中に内蔵されている。
【特許文献１】特開２００２−４２１００
【特許文献２】特開２００４−３２９８２２
【発明の開示】
【発明が解決しようとする課題】
【０００６】
上記従来技術では、ＩＣチップを組み込んだボタンは、次のようなやり方で、作業者が手作業により生地に直接縫い付けたり、生地を介して裏面部材と係合させたりしている。
（１）糸で生地に縫い付ける形式（特許文献１）、
（２）糸で表裏部材を縫い付ける形式（特許文献２の実施例１）
（３）表面部材と裏側部材を爪で引っかける形式（特許文献２の実施例２）、
（４）裏面部材にスリットを設け、表面部材と組み合わせる形式（特許文献２の実施例３）
【０００７】
しかし、上記のような方法は、例えばジーンズボタンのように、表面部材と裏面部材を打込み機械によって圧着させる形式のボタンには適用できない。打込み機械の衝撃により、ＩＣチップが破壊されるおそれがあるからである。
【０００８】
本発明は、表面部材と裏面部材を打込み機械によって圧着させる形式のボタンにも適用可能なＲＦＩＤタグを取り付けたボタン及び装飾体を提供することを目的とする。
【課題を解決するための手段】
【０００９】
本発明は、ＲＦＩＤタグを取り付けた装飾体であって、表面部材と、生地を介して前記表面部材とかしめられる裏面部材と、前記表面部材の内部に収容したＲＦＩＤタグからなり、前記表面部材は、さらに脚部を有する蓋体と、前記脚部通過用の孔を有する本体からなり、前記ＲＦＩＤタグを収容するための収容室を前記蓋体及び前記本体のいずれかであって、しかも、前記脚部及び脚部通過用の孔から離れた位置に設け、前記ＲＦＩＤタグ収容室を貫通する小孔を前記本体に設けて、前記ＲＦＩＤタグが取り付けられているかどうか目視確認できるようにし、さらに前記蓋体及び前記本体のいずれかに衝撃緩和用の窪みを設けたことを特徴とする。
【発明の効果】
【００１０】
本発明によれば、ＲＦＩＤタグ収容室が前記蓋体及び前記本体のいずれかであって、しかも、前記脚部及び脚部通過用の孔から離れた位置に設けられているので、打付け機械を使用して表裏部材をかしめても、打付け機械の押圧力が直接かからない。したがって、ＲＦＩＤタグが衝撃により破損することはない。
【発明を実施するための最良の形態】
【００１１】
装飾体としては、飾り表面を有するボタン、バッジ、ワッペン、徽章、等がある。この装飾体は、例えば、衣服、カバン、住宅や車の床用マット、リネン関係（布団やシーツ）に使用することができる。装飾体がスナップボタンのとき、前記裏面部材にスナップ係合用の雌雄部材のいずれかを併設させることができる。
【００１２】
ＲＦＩＤタグには、ラベル型、カード型、コイン型、スティック型など様々であり、用途に応じて選択可能であるが、本発明は、ボタン及び装飾体に収容可能な大きさであれば、全て使用可能である。通信距離は、数mm程度のものから数mのものがあり、これも用途に応じて使い分けられている。
【００１３】
ＲＦＩＤタグ収容室は、前記蓋体及び前記本体のいずれかに設けられた溝である。ＲＦＩＤタグは、ＲＦＩＤタグ収容室に置くだけでよいが、接着剤によりＲＦＩＤタグ収容室の底に固着して、自由移動できないようにしてもよい。また、ＲＦＩＤタグ収容溝を貫通する小孔を設けて、ＲＦＩＤタグが間違いなく取り付けられているかどうか目視確認できるようにするのが好ましい。
【００１４】
さらに好ましくは、打付け機械の衝撃力を緩和するため、前記蓋体及び前記本体のいずれかに衝撃緩和用の窪みを設ける。
【００１５】
以下、添付の図面に基づき、本発明の実施例を説明する。
【実施例１】
【００１６】
図１〜図６は、実施例１のボタンであり、図１は、使用状態を示す参考図、図２は展開斜視図、図３はボタン表面部材の第１要素の（ａ）平面図、（ｂ）底面図、（ｃ）側面図、（ｄ）断面図、図４はボタン表面部材の第２要素の（ａ）平面図、（ｂ）底面図、（ｃ）側面図、（ｄ）と（ｅ）断面図、図５はボタン裏面部材の（ａ）平面図、（ｂ）底面図、（ｃ）側面図、（ｄ）断面図、図６は生地を介して組み合わせた状態の断面図である。
【００１７】
この実施例では、ＲＦＩＤタグは、ボタンに内蔵されて、図１のように衣服に取り付けられる。
【００１８】
図２に示すように、このボタン１は、生地２を介して、表面部材３と裏面部材４からなる。表面部材３は飾り表面である。裏面部材４は、それ自体がスナップボタンの雄部材４１を有しており、雌部材（図示せず）とスナップ係合する。
【００１９】
表面部材３は、さらに第１要素の蓋体５と第２要素の本体６からなる。
【００２０】
蓋体５は、図３各図に示すように、円板状の頭部５１と、頭部中央から下方へ伸びる脚部５２とからなる。頭部の下面には浅い円形の窪み５３が設けられている。この窪みから外れた位置に位置決め用の小突起５４が設けられている。
【００２１】
本体６は、図４各図に示すように、円板状で、平坦部６１とやや盛り上がった周縁部６２とからなる。前記した蓋体５はこの平坦部６１にはまりこむ大きさである。平坦部６１には中央孔６３と、四角形のＲＦＩＤタグ収容溝６４，６５が２個所設けられている。２個所とも使用することができるが、通常どちらか一方を使用する。他に、平坦部６１には、前記小突起５４が挿入される孔６８も設けられていて、蓋体５が本体６に対して不用意に回転しないようになっている。それにより、蓋体５上のロゴマーク等が傾いたり、逆さまになったりするような事態が避けられる。本体６の下面には円形の浅い窪み６９が設けられている。
【００２２】
ＲＦＩＤタグ７は、ＲＦＩＤタグ収容溝６４，６５の中に置かれる。必要なら接着剤により溝に固着して、自由移動できないようにしてもよい。また、ＲＦＩＤタグ収容溝６４，６５を貫通する小孔６６，６７も設けられており、ＲＦＩＤタグ７が間違いなく取り付けられているかどうか目視確認できるようになっている。
【００２３】
生地２を挟んで裏側からボタン表面部材３を支持するのは裏面部材４である。裏面部材４は、図５各図に示すように、円板部４２と、その円板部に取り付けられたスナップボタン用雌部材４１からなる。
【００２４】
図６は生地を介して組み合わせた状態の断面図である。蓋体５の脚部５２は生地２を貫通して裏面部材４とかしめられる。ＲＦＩＤタグ７は、ボタン中央部からそれたＲＦＩＤタグ収容溝６４又は６５の中にあり、打付け機械の押圧力が直接かからない。しかも、蓋体５の内側に設けられた窪み５３が緩衝の役目を果たすことになる。したがって、ＲＦＩＤタグ付きのボタン１を機械で打ち付けてもＲＦＩＤタグ７が破壊されることはない。
【実施例２】
【００２５】
図７〜図１２は、実施例２の装飾表示具１Ａであり、図７は、使用状態を示す参考図、図８は展開斜視図、図９は装飾表示具表面部材の第１要素の（ａ）平面図、（ｂ）底面図、（ｃ）側面図、（ｄ）断面図、図１０は装飾表示具表面部材の第２要素の（ａ）平面図、（ｂ）底面図、（ｃ）側面図、（ｄ）断面図、図１０は装飾表示具裏面部材の（ａ）平面図、（ｂ）底面図、（ｃ）側面図、（ｄ）断面図、図１２は生地を介して組み合わせた状態の断面図である。
【００２６】
この実施例では、ＲＦＩＤタグ７Ａは、装飾表示具１Ａに内蔵されて、図７のように衣服に取り付けられる。
【００２７】
この装飾表示具１Ａは、生地２Ａを介して、表面部材３Ａと裏面部材４Ａからなる。表面部材３Ａは、装飾表示表面である。裏面部材４Ａは支持体である。
【００２８】
表面部材は、さらに第１要素の蓋体５Ａと第２要素の本体６Ａからなる。
【００２９】
蓋体５Ａは、図９各図に示すように、楕円板状の頭部５１Ａと、頭部両端付近から下方へ伸びる２本の脚部５２Ａとからなる。頭部の下面にはＲＦＩＤタグ収容溝み５５が設けられている。ＲＦＩＤタグ７Ａは、ＲＦＩＤタグ収容溝５５の中に置かれる。必要なら接着剤で溝に固着して、自由移動できないよいにしてもよい。
【００３０】
本体６Ａは、図１０各図に示すように、楕円板状で、平坦部６１Ａとやや盛り上がった周縁部６２Ａとからなる。前記した蓋体５Ａはこの平坦部６１Ａにはまりこむ大きさである。平坦部６１Ａには脚部通過用の孔６３Ａが２個所設けられている。また、平坦部６１Ａを貫通する小孔６６Ａも設けられており、ＲＦＩＤタグ７Ａが間違いなく取り付けられているかどうか目視確認できるようになっている。
【００３１】
生地２Ａを挟んで裏側から装飾表示具の表面部材３Ａを支持するのは裏面部材４Ａである。裏面部材４Ａは、図１１各図に示すように、楕円板部４２Ａと、前記脚部５２Ａが挿通し、かしめられる２つの孔４３からなる。孔４３の周辺はかしめられた脚部材が固定される段部４４となっている。
【００３２】
図１２は生地２Ａを介して組み合わせた状態の断面図である。蓋体の脚部は生地を貫通して裏面部材とかしめられる。ＲＦＩＤタグは、装飾表示具中央部のＲＦＩＤタグ収容溝の中にあり、打付け機械の押圧力が直接かからない。この例では、左右２本の脚部の部分に押圧力がかかるからである。したがって、ＲＦＩＤタグ付きのボタンを機械で打ち付けてもＲＦＩＤタグが破壊されることはない。
【実施例３】
【００３３】
図１３は、実施例３の装飾表示具１Ｂをマット２Ｂに取り付けようとしている状態の斜視図である。この実施例は、マット２Ｂのコーナーに設けた三角形状の装飾表示具１Ｂである。蓋体５Ｂ表面には、通常、ロゴマークや使用上の注意などが表記される。構造的には実施例２とほぼ同様であるが、脚部５２Ｂが３本である点が相違する。その他の点については、実施例２の符号に「Ｂ」を付して説明を省略する。
【図面の簡単な説明】
【００３４】
【図１】実施例１のボタンにおいて、使用状態を示す参考図である。
【図２】実施例１のボタンの展開斜視図である。
【図３】実施例１のボタン表面部材の第１要素の（ａ）平面図、（ｂ）底面図、（ｃ）側面図、（ｄ）断面図である。
【図４】実施例１のボタン表面部材の第２要素の（ａ）平面図、（ｂ）底面図、（ｃ）側面図、（ｄ）と（ｅ）断面図である。
【図５】実施例１のボタン裏面部材の（ａ）平面図、（ｂ）底面図、（ｃ）側面図、（ｄ）断面図である。
【図６】実施例１のボタンを生地を介して組み合わせた状態の断面図である。
【図７】実施例２の装飾表示具において、使用状態を示す参考図である。
【図８】実施例２の装飾表示具の展開斜視図である。
【図９】実施例２の装飾表示具表面部材の第１要素の（ａ）平面図、（ｂ）底面図、（ｃ）側面図、（ｄ）断面図である。
【図１０】実施例２の装飾表示具表面部材の第２要素の（ａ）平面図、（ｂ）底面図、（ｃ）側面図、（ｄ）と（ｅ）断面図である。
【図１１】実施例２の装飾表示具裏面部材の（ａ）平面図、（ｂ）底面図、（ｃ）側面図、（ｄ）断面図である。
【図１２】実施例２の装飾表示具を生地を介して組み合わせた状態の断面図である。
【図１３】実施例３の装飾表示具１Ｂをマットに取り付けようとしている状態の斜視図である。
【符号の説明】
【００３５】
１     ボタン
１Ａ   装飾表示具
２     生地
２Ａ   生地
３     ボタンの表面部材
３Ａ   装飾表示具の表面部材
４     ボタンの裏面部材
４１   スナップボタン用雄部材
４２   円板部
４３   孔
４４   段部
４Ａ   裏面部材
４２Ａ 楕円板部
５     ボタンの蓋体
５１   頭部
５２   脚部
５４   小突起
５５   ＲＦＩＤタグ収容溝
５Ａ，５Ｂ    装飾表示具の蓋体
５１Ａ 頭部
５２Ａ 脚部
６     ボタンの本体
６１   平坦部
６２   周縁部
６３   中央孔
６４，６５    ＲＦＩＤタグ収容溝
６６，６７    小孔
６８   孔
６Ａ   装飾表示具の本体
６１Ａ 平坦部
７     ＲＦＩＤタグ
７Ａ   ＲＦＩＤタグ
６１Ａ 平坦部
６２Ａ 周縁部
６３Ａ 孔
６６Ａ 小孔
【図１】
0005166904.tif 000002
【図２】
0005166904.tif 000003
【図３】
0005166904.tif 000004
【図４】
0005166904.tif 000005
【図５】
0005166904.tif 000006
【図６】
0005166904.tif 000007
【図７】
0005166904.tif 000008
【図８】
0005166904.tif 000009
【図９】
0005166904.tif 000010
【図１０】
0005166904.tif 000011
【図１１】
0005166904.tif 000012
【図１２】
0005166904.tif 000013
【図１３】
0005166904.tif 000014